(57)【特許請求の範囲】
【請求項１】
外周に螺旋状又は環状の凹凸部を形成した波形管の端部同士を接続するための接続構造であって、互いに対向して配置させた波形管の端部間に跨って、それら端部外周に止水シートをすし巻き状に巻き付けて、この止水シートの管軸方向に沿ったシート端部同士を互いに重ね合わせるとともに、それらシート端部間における隙間の発生を防止するための板状部材を、シート端部間或いは内側のシート端部と波形管外周との間に介在させた状態で、前記止水シートを外側から押さえ付けるようにして、前記波形管の端部間に跨って継手部材を取り付けたことを特徴とする波形管の接続構造。
【請求項２】
板状部材を、硬質合成樹脂によって形成した請求項１記載の波形管の接続構造。
【請求項３】
板状部材を、前記止水シートのシート端部間或いは内側のシート端部と波形管外周との間に接着剤を介して接着した請求項１又は２記載の波形管の接続構造。
【請求項４】
板状部材を、帯状に形成して、管軸方向に沿って配置した請求項１乃至３のいずれかに記載の波形管の接続構造。
【請求項５】
止水シートの内周のほぼ全面に、接着剤を貼り付けてある請求項１乃至４のいずれかに記載の波形管の接続構造。
【請求項６】
継手部材は、一対の半筒状の継手本体を備え、これら継手本体を止水シートに対して外側から被せた状態で、互いに対向する管軸方向に沿った端部同士を連結してなる請求項１乃至５のいずれかに記載の波形管の接続構造。
【発明の詳細な説明】
【０００１】
【発明の属する技術分野】
この発明は、例えば土木用集排水管、電線ケーブルや光ファイバーケーブル等のケーブル類を収容保護するケーブル用保護管等に使用する波形管の管端部同士を突き合わせた状態で接続するのに適した接続構造に関する。
【０００２】
【従来の技術】
土木用の集排水管のほか、電線ケーブルや光ファイバーケーブル等のケーブル類を収容保護するケーブル保護管として、外周に螺旋状又は環状の凹凸部を形成した合成樹脂製の波形管が一般に使用されている。
【０００３】
図７は、この種の波形管の端部同士を突き合わせ状態で接続する従来の接続構造を示している。この接続構造では、波形管(１)(１)の端部間に跨って、例えば軟質合成樹脂製の止水シート(２)をすし巻き状に巻き付けるとともに、その止水シート(２)を外側から押さえ付けるようにして、波形管(１)(１)の端部間に跨って継手部材(３)を取り付けることで、水密性を確保している。
【０００４】
【発明が解決しようとする課題】
従来の接続構造では、止水シート(２)の管軸方向に沿った両端部(４)(５)を互いに重ね合わせているので、継手部材(３)による締め付け力や外圧等の影響によって、図８に示すように、その互いに重ね合わせたシート端部(４)(５)が、波形管(１)(１)の凹部(６)(６)…に入り込むようにして波形に沿って撓むことで、これらシート端部(４)(５)間に隙間(７)(７)…が生じてしまい、この結果、十分な水密性を確保することができないといった不具合を生じていた。
【０００５】
そこで、この発明は、上記の不具合を解消して、波形管に巻き付ける止水シートの互いに重ね合わせた端部間における隙間の発生を防止して、水密性を良好に確保することができる波形管の接続構造の提供を目的とする。
【０００６】
【課題を解決するための手段】
上記の課題を解決するため、この発明は、外周に螺旋状又は環状の凹凸部を形成した波形管の端部同士を接続するための接続構造であって、互いに対向して配置させた波形管の端部間に跨って、それら端部外周に止水シートをすし巻き状に巻き付けて、この止水シートの管軸方向に沿ったシート端部同士を互いに重ね合わせるとともに、それらシート端部間における隙間の発生を防止するための硬質合成樹脂等からなる板状部材を、シート端部間或いは内側のシート端部と波形管外周との間に介在させた状態で、前記止水シートを外側から押さえ付けるようにして、前記波形管の端部間に跨って継手部材を取り付けたことを特徴とする。
【０００７】
また、板状部材を、前記止水シートのシート端部間或いは内側のシート端部と波形管外周との間に接着剤を介して接着している。さらに、板状部材を、帯状に形成して、管軸方向に沿って配置している。
【０００８】
さらにまた、止水シートの内周のほぼ全面に、接着剤を貼り付けてある。また、継手部材は、一対の半筒状の継手本体を備え、これら継手本体を止水シートに対して外側から被せた状態で、互いに対向する管軸方向に沿った端部同士を連結してなる。
【０００９】
【発明の実施の形態】
以下、この発明の実施形態を図面に基づいて詳細に説明する。図１は、本発明の一実施形態に係る波形管の接続構造の分解斜視図である。
【００１０】
図において、(10)は、地中埋設型の土木用の集排水管として使用される硬質合成樹脂製の波形管である。この波形管(10)は、図５に示すように、螺旋状の凹凸部(11)(12)が形成された外管(13)と、円筒状の内管(14)とを備え、外管(13)の凹部(11)の内周面と内管(14)の外周面とが一体的に融着された２重構造となっている。従って、波形管(10)の外周には、螺旋状の凹凸部(11)(12)が連続して形成された状態となっている。
【００１１】
(20)は、互いに対向配置して突き合わせた波形管(10)(10)の端部間に跨って、それら管端部外周にすし巻き状に巻き付けられる柔軟性を有する止水シートである。この止水シート(20)は、例えば軟質合成樹脂によって帯状に形成され、その内周側のほぼ全面には、例えばブチルゴム製の接着剤(23)が貼り付けられている。また、止水シート(20)の管軸方向に沿った両端部(21)(22)は、斜めにカットされて先細り状態となっている。
【００１２】
(30)は、止水シート(20)の管軸方向に沿った一端部(21)の内周側に、接着剤(23)によって接着された板状部材である。この板状部材(30)は、例えば硬質合成樹脂によって断面形状が略長方形の帯状に形成され、管軸方向に沿うようにして配置されている。また、この板状部材(30)の表面には、例えばブチルゴム製の接着剤(24)が貼り付けられている。
【００１３】
(40)は、波形管(１)(１)の端部外周に巻き付けた止水シート(20)を外側から押さえるようにして、波形管(１)(１)の端部間に跨って取り付けられる例えば硬質合成樹脂製の継手部材である。
【００１４】
この継手部材(40)は、一対の半筒状の継手本体(41)(41)を備えている。各継手本体(41)の管軸方向に沿った両端部には、管軸方向と直交する方向に張り出すフランジ(42)(42)が夫々形成されており、一方の継手本体(41)のフランジ(42)(42)には、一対のボルト(43)(43)が夫々植設され、他方の継手本体(41)のフランジ(42)(42)には、ボルト(43)(43)を挿通させるための挿通孔(44)(44)…が形成されている。
【００１５】
なお、図中、(45)(45)は、各継手本体(41)の内周面に形成された突起であって、継手本体(41)を波形管(１)(１)に対して被せたときに、波形管(１)(１)の凹部(11)(11)に嵌り込むようになっている。
【００１６】
次に、上記止水シート(20)、板状部材(30)及び継手部材(40)を用いて波形管(10)(10)を接続する方法について説明する。まず、図２に示すように、一方の継手本体(41)の内周側に止水シート(20)を載せ、この継手本体(41)を波形管(10)(10)の管端部間に跨るようにして、その下側に被せる。なお、この場合、管端部の突き合わせ位置が継手本体(41)のほぼ中央に位置するようにセットする。
【００１７】
この状態から、図３に示すように、止水シート(20)を波形管(10)(10)の管端部外周にすし巻き状に巻き付け、止水シート(20)の一端部(21)を他端部(22)の上側に被せるようにして、これらシート端部(21)(22)同士を重ね合わせる。なお、止水シート(20)が巻き付けられる波形管(10)(10)の端部には、図５に示すように、その凹部(11)(11)において止水用のコーキング材(49)(49)が充填されている。
【００１８】
この巻き付け時において、止水シート(20)の内周側には、接着剤(23)が貼り付けられているので、止水シート(20)が波形管(10)(10)の凸部(12)(12)…に接着した状態となっている。また、止水シート(20)の一端部(21)の内周側には、板状部材(30)が接着されているので、シート端部(21)(22)同士を重ね合わせることで、それらシート端部(21)(22)間に板状部材(30)が介在される。このようして介在された板状部材(30)は、止水シート(20)の一端部(21)に接着剤(23)を介して接着されているだけでなく、その表面にも接着剤(24)が貼り付けられているので、止水シート(20)の他端部(22)にも接着された状態となっている。なお、シート端部(21)(22)は、先細り状態となっているので、互いに重ね合わせたシート端部(21)(22)間に板状部材(30)を介在させても、その部分の肉厚が分厚くならないようになっている。
【００１９】
続いて、図４に示すように、他方の継手本体(41)を波形管(10)(10)の管端部間に跨って上方から被せて、一方の継手本体(41)のフランジ(42)(42)から延びるボルト(43)(43)…を、他方の継手本体(41)のフランジ(42)(42)の挿通孔(44)(44)…へ挿通させながら、それらフランジ(42)(42)…を互いに重ね合わせる。そして、他方の継手本体(41)側の挿通孔(44)(44)…を貫通したボルト(43)(43)…の先端に、ナット(50)(50)…を夫々螺合して締め付けることで、止水シート(20)を外側から押さえ付けるようにして、継手本体(41)(41)同士を連結する。これによって、互いに突き合わせた波形管(10)(10)の管端部同士が接続される。
【００２０】
この接続状態において、止水シート(20)におけるシート端部(21)(22)以外の中間部では、継手部材(40)の締め付け力や外圧等の影響によって、波形管(10)(10)の凹部(11)(11)…に入り込むようにして波形に沿って撓むことがあるが、このような中間部が波形に沿って撓んでも、水密性を損なうことはない。
【００２１】
一方、止水シート(20)の互いに重ね合わせたシート端部(21)(22)では、波形に沿って撓むと、シート端部(21)(22)間に波形管(10)(10)の凹部(11)(11)…に連通する隙間が生じてしまって、水密性を損なうことがある。しかし、上記のようにシート端部(21)(22)間に変形の少ない硬質の板状部材(30)を介在させて、図５及び図６に示すように、これらシート端部(21)(22)及び板状部材(30)を接着剤(23)(24)によって相互に密着させているので、シート端部(21)(22)が波形管(10)(10)の凹部(11)(11)…に入り込んで撓むといったことがなく、シート端部(21)(22)間における隙間の発生を防止することができる。すなわち、すし巻き状に巻き付ける止水シート(20)でありながら、そのシート端部(21)(22)同士が板状部材(30)を介して隙間を生じることなく密着されているので、継ぎ目のない筒状シートのように機能させることができ、良好な水密性を確保することができる。
【００２２】
なお、本発明は、上記実施形態に限定されるものではなく、本発明の範囲内で上記実施形態に多くの修正及び変更を加え得ることは勿論である。
【００２３】
例えば、波形管としては、土木用の集排水管に限らず、例えばケーブル類を収容保護するケーブル保護管やその他各種の用途に使用するものであっても良い。
【００２４】
また、波形管は、２重構造のものに限らず、例えば内管を廃止した１重構造の波形管であっても良い。さらに、外周に螺旋状の凹凸部を形成したものに限らず、例えば環状の凹凸部を管軸方向に沿って交互に形成したものであっても良い。
【００２５】
さらにまた、板状部材は、止水シートの互いに重ね合わせたシート端部間に介在させていたが、内側のシート端部と波形管外周との間に介在させるようにしても良い。
【００２６】
さらに、板状部材としては、断面形状が略長方形の帯状のものに限らず、例えば断面形状がテーパー面を有する略三角形や略台形に形成されているもの、さらには波形管の外周に沿って湾曲しているものであっても良い。このような形状の板状部材を、止水シートのシート端部間或いは内側のシート端部と波形管外周との間に介在させることで、板状部材を介在させることによって生じるシート端部間或いはシート端部と波形管外周との間の隙間を小さく抑えて、特に管軸方向からの水の浸入等を確実に防止することができる。
【００２７】
さらにまた、上記実施形態においては、防止シートの内周側のほぼ全面に接着剤を貼り付けていたが、板状部材を取り付ける部分にのみ接着剤を貼り付けるようにしても良い。
【００２８】
さらに、継手部材としては、上記のような半割タイプのものだけに限らず、例えば１枚の帯状の部材を巻き付けることで、止水シートを外側から押さえ付けるタイプのもの、さらいは３分割或いはそれ以上に分割した部材を適宜組み合わせて、止水シートを外側から押さえ付けるタイプのものであっても良い。
【００２９】
【発明の効果】
以上の説明から明らかなように、この発明によると、波形管の端部外周にすし巻き状に巻き付けた止水シートのシート端部間或いは内側のシート端部と波形管外周との間に、硬質合成樹脂等からなる板状部材を介在させているので、継手部材の締め付け力や外圧等が作用したときのシート端部の撓みを抑えることができ、このためシート端部間における隙間の発生を防止して、良好な水密性を確保することができる。このような効果は、特に凹部の幅が広くなっている波形管に対して顕著である。
【００３０】
また、シート端部と板状部材を接着剤によって相互に接着することで、互いに重なり合ったシート端部が板状部材を介して一体化し、シート端部間における隙間の発生をより確実に防止して、水密性をより一層高めることができる。
【００３１】
さらに、止水シートの内周のほぼ全面に接着剤を貼り付けて、波形管の端部外周に接着させることで、止水シートを波形管に確実に巻き付けて、水密性をさらに向上することができる。
【図面の簡単な説明】
【図１】この発明の一実施形態に係る波形管の接続構造を示す分解斜視図である。
【図２】同じくその一方の継手本体を取り付けた状態を示す分解斜視図である。
【図３】同じくその止水シートを巻き付けた状態を示す分解斜視図である。
【図４】同じくその斜視図である。
【図５】同じくその一部破断側面図である。
【図６】図５の部分拡大図である。
【図７】従来の波形管の接続構造を示す一部破断側面図である。
【図８】図７の部分拡大図である。
【符号の説明】
(10)  波形管
(11)  凹部
(12)  凸部
(20)  止水シート
(21)(22)  シート端部
(23)(24)  接着剤
(30)  板状部材
(40)  継手部材
(41)  継手本体
【図１】
0003939997.tif 000002
【図２】
0003939997.tif 000003
【図３】
0003939997.tif 000004
【図４】
0003939997.tif 000005
【図５】
0003939997.tif 000006
【図６】
0003939997.tif 000007
【図７】
0003939997.tif 000008
【図８】
0003939997.tif 000009